(57)【要約】【課題】混合器内で混合される各液の体積を定量可能であり、担体粒子を含む液を循環させて該粒子を捕捉可能な、流体デバイスを提供する。【解決手段】循環流路と、前記循環流路に配置された、溶液中の試料物質を捕捉する捕捉部及び／又は溶液中の試料物質を検出する検出部と、を含み、前記循環流路は２以上の循環流路バルブを有し、前記循環流路バルブのそれぞれは、前記循環流路バルブで区切られる前記循環流路の区画のそれぞれが所定の体積となるように配置されており、第一導入流路が、前記循環流路の第一の区画と接続され、第二導入流路が、前記循環流路の第二の区画と接続され、排出流路は前記循環流路と接続され、前記第一導入流路は第一導入流路バルブを有し、前記第二導入流路は第二導入流路バルブを有し、前記排出流路は排出流路バルブを有する、流体デバイス。【選択図】図１
2020112561.tif 000002
【特許請求の範囲】
【請求項１】
循環流路と、
前記循環流路に配置された、溶液中の試料物質を捕捉する捕捉部及び／又は溶液中の試料物質を検出する検出部と、を含み、
前記循環流路は２以上の循環流路バルブを有し、前記循環流路バルブのそれぞれは、前記循環流路バルブで区切られる前記循環流路の区画のそれぞれが所定の体積となるように配置されており、
第一導入流路が、前記循環流路の第一の区画と接続され、
第二導入流路が、前記循環流路の第二の区画と接続され、
排出流路は前記循環流路と接続され、
前記第一導入流路は第一導入流路バルブを有し、
前記第二導入流路は第二導入流路バルブを有し、
前記排出流路は排出流路バルブを有する、
流体デバイス。
【請求項２】
前記捕捉部又は検出部は、担体粒子に結合した試料物質を捕捉又は検出する、請求項１に記載の流体デバイス。
【請求項３】
前記捕捉部は、前記担体粒子に対する親和性を制御可能に構成されている、請求項２に記載の流体デバイス。
【請求項４】
前記導入流路及び排出流路の少なくとも１つは、前記循環流路バルブの近傍に配置されている、請求項１から３のいずれか一項に記載の流体デバイス。
【請求項５】
前記循環流路は、溶液を循環させるためのポンプを有する、請求項１から４のいずれか一項に記載の流体デバイス。
【請求項６】
前記捕捉部及び前記検出部が、前記循環流路の同じ位置に配置されている、請求項１から５のいずれか一項に記載の流体デバイス。
【請求項７】
少なくとも１つのさらなる循環流路を含み、当該循環流路は溶液中の試料物質を検出する検出部が配置され、循環流路同士が接続流路によって接続されている、請求項１から６のいずれか一項に記載の流体デバイス。
【請求項８】
担体粒子に結合した試料物質を捕捉する方法であって、
第一循環流路と、前記第一循環流路に配置された、前記担体粒子を捕捉する捕捉部と、を含み、前記第一循環流路が２以上の循環流路バルブを有する流体デバイスを用い、
前記循環流路バルブを閉めた状態で、前記循環流路バルブで区切られる区画のうち、少なくとも一つの区画に、試料物質を含む溶液を、第一導入バルブを有する第一導入流路を通じて導入し、別の少なくとも一つの区画に、前記試料物質と結合する担体粒子を含む溶液を、第二導入バルブを有する第二導入流路を通じて導入する導入工程と、
前記循環流路バルブをすべて開放し、前記第一循環流路内で溶液を循環させて混合する混合工程と、
前記担体粒子を前記捕捉部に捕捉する捕捉工程と、
を含む方法。
【請求項９】
前記流体デバイスは、さらに、前記捕捉部に捕捉された担体粒子に結合した試料物質を検出する検出部を含み、
前記捕捉工程の後、前記捕捉部に捕捉された前記担体粒子に結合した試料物質を、前記検出部で検出する検出工程を含む請求項８に記載の方法。
【請求項１０】
前記流体デバイスは、更に、前記担体粒子に結合した試料物質を検出する検出部が配置された第二循環流路を含み、
前記捕捉工程の後、前記担体粒子を前記捕捉部から解放し、又は、前記試料物質を前記担体粒子から解放し、前記担体粒子に結合した試料物質又は遊離した試料物質を含む溶液を、接続流路を通じて前記第二循環流路に移送する移送工程と、
前記試料物質を前記検出部で検出する検出工程と、
を含む請求項８に記載の方法。
【請求項１１】
前記第一循環流路が三つの循環流路バルブを有し、
前記導入工程において、一つの区画に試料物質を含む溶液を導入し、一つの区画に前記試料物質と結合する担体粒子を含む溶液を導入し、一つの区画に検出補助物質を含む溶液を導入し、
前記混合工程において、担体粒子−試料物質−検出補助物質複合体を得て、
前記移送工程において、前記担体粒子−試料物質−検出補助物質複合体を含む溶液を前記第二循環流路に移送し、
前記検出工程で、前記担体粒子−試料物質−検出補助物質複合体を検出する、請求項１０に記載の方法。
【発明の詳細な説明】
【技術分野】
【０００１】
本発明は、循環型混合器、流体デバイス、システム、及び方法に関する。
本願は、２０１５年３月２４日に、日本に出願された特願２０１５−６１８０３号に基づき優先権を主張し、その内容をここに援用する。
【背景技術】
【０００２】
近年、体外診断分野における試験の高速化、高効率化、および集積化、又は、検査機器の超小型化を目指したμ−ＴＡＳ（Ｍｉｃｒｏ−Ｔｏｔａｌ  Ａｎａｌｙｓｉｓ  Ｓｙｓｔｅｍｓ)の開発が注目を浴びており、世界的に活発な研究が進められている。
【０００３】
μ−ＴＡＳは、少量の試料で測定、分析が可能なこと、持ち運びが可能となること、低コストで使い捨てが可能なこと等、従来の検査機器に比べて優れている。
更に、高価な試薬を使用する場合や少量多検体を検査する場合において、有用性が高い方法として注目されている。
【０００４】
μ−ＴＡＳの構成要素として、ループ状流路と、該流路上に配置されるポンプとを備えた回転式混合器が報告されている（非特許文献１）。この回転式混合器では、該ループ状の流路へと複数の溶液を注入し、ポンプを作動させることで、複数の溶液をループ状流路内で混合する。複数の溶液は、ループ状流路に連結する注入流路内に蓄積された後、ループ状流路へと注入される。この注入流路上にはバルブが設けられており、当該流路内で各溶液の体積が定量される。
【先行技術文献】
【非特許文献】
【０００５】
【非特許文献１】Jong Wook Hong, Vincent Studer, Giao Hang, W French Anderson and Stephen R Quake、Nature Biotechnology 22, 435 - 439 (2004)
【発明の概要】
【発明が解決しようとする課題】
【０００６】
体外診断分野、特に臨床現場即時検査（Point of Care Testing；POCT）では、少量のサンプルで、複数の反応を連続的に短時間で行う必要がある。しかし、非特許文献１に記載の方法では、ループ状流路は液体の循環のみに利用され、その後溶液をループ外に移送してDNAを検出しており、かかるニーズを十分に満たすものではなかった。
【課題を解決するための手段】
【０００７】
本発明の一実施態様は、下記（１）〜（６）を提供するものである。
（１）本発明の一実施態様における流体デバイスは、
循環流路と、
前記循環流路に配置された、溶液中の試料物質を捕捉する捕捉部及び／又は溶液中の試料物質を検出する検出部と、を含む。
（２）本発明の一実施態様における流体デバイスは、
第一の循環流路と、第二の循環流路と、前記第一循環流路と前記第二循環流路とを直接又は間接に接続する接続流路と、を含み、
前記第一の循環流路に、溶液中の試料物質を捕捉する捕捉部が配置され、
前記第二の循環流路に、溶液中の試料物質を検出する検出部が配置されている。
（３）本発明の一実施態様におけるシステムは、流体デバイスと、バルブの開閉を制御する制御部と、を備える。
（４）本発明の一実施態様における方法は、
担体粒子に結合した試料物質を捕捉する方法であって、
循環流路と、前記循環流路に配置された、前記担体粒子を捕捉する捕捉部と、を含み、前記循環流路が２以上の循環流路バルブを有する、流体デバイスを用い、
前記循環流路バルブを閉めた状態で、前記循環流路バルブで区切られる区画の少なくとも一つに試料物質を含む溶液を導入し、別の少なくとも一つの区画に前記試料物質と結合する担体粒子を含む溶液を導入する導入工程と、
前記循環流路バルブをすべて開放し、前記循環流路内で溶液を循環させて混合する混合工程と、
前記担体粒子を前記捕捉部に捕捉する捕捉工程と、
を含む。
（５）本発明の一実施態様における方法は、
担体粒子に結合した試料物質を検出する方法であって、
循環流路と、前記循環流路に配置された、前記担体粒子を捕捉する捕捉部と、前記捕捉部に捕捉された担体粒子に結合した試料物質を検出する検出部と、を含み、前記循環流路が２以上の循環流路バルブを有する、流体デバイスを用い、
前記循環流路バルブを閉めた状態で、前記循環流路バルブで区切られる区画の少なくとも一つに試料物質を含む溶液を導入し、別の少なくとも一つの区画に前記試料物質と結合する担体粒子を含む溶液を導入する導入工程と、
前記循環流路バルブをすべて開放し、循環流路内で溶液を循環させて混合する混合工程と、
前記担体粒子を前記捕捉部に捕捉する捕捉工程と、
前記捕捉部に捕捉された前記担体粒子に結合した試料物質を、前記検出部で検出する検出工程と、
を含む。
（６）本発明の一実施態様における方法は、
担体粒子に結合した試料物質を検出する方法であって、
２以上の循環流路バルブを有する第一循環流路と、第二循環流路と、前記第一循環流路と前記第二循環流路とを直接又は間接に接続する接続流路と、を含み
前記第一循環流路には、担体粒子を捕捉する捕捉部が配置され、
前記第二循環流路には、前記担体粒子に結合した試料物質を検出する検出部が配置された流体デバイスを用い、
前記第一の循環流路の循環流路バルブを閉めた状態で、前記第一の循環流路バルブで区切られる区画の少なくとも一つに試料物質を含む溶液を導入し、別の少なくとも一つの区画に前記試料物質と結合する担体粒子を含む溶液を導入する導入工程と、
前記第一の循環流路の循環流路バルブをすべて開放し、前記第一の循環流路内で溶液を循環させて混合する混合工程と、
前記担体粒子を前記捕捉部に捕捉する捕捉工程と、
前記担体粒子を前記捕捉部から解放し、又は、前記試料物質を前記担体粒子から解放し、前記担体粒子に結合した試料物質又は遊離した試料物質を含む溶液を、前記接続流路を通じて前記第二循環流路に移送する移送工程と、
前記試料物質を前記検出部で検出する検出工程と、
を含む。
【図面の簡単な説明】
【０００８】
【図１】本発明の一実施形態に係る流体デバイスの構成の概略を示す平面図である。
【図２】本発明の一実施形態に係る流体デバイスの構成の概略を示す平面図である。
【図３】本発明の一実施形態に係る流体デバイスの構成の概略を示す平面図である。
【図４Ａ】本発明の一実施形態に係る流体デバイスを用いた混合方法の手順を示す図である。
【図４Ｂ】本発明の一実施形態に係る流体デバイスを用いた混合方法の手順を示す図である。
【図４Ｃ】本発明の一実施形態に係る流体デバイスを用いた混合方法の手順を示す図である。
【図４Ｄ】本発明の一実施形態に係る流体デバイスを用いた混合方法の手順を示す図である。
【図４Ｅ】本発明の一実施形態に係る流体デバイスを用いた混合方法の手順を示す図である。
【図４Ｆ】本発明の一実施形態に係る流体デバイスを用いた方法の手順を示す図である。
【図４Ｇ】本発明の一実施形態に係る流体デバイスを用いた方法の手順を示す図である。
【図４Ｈ】本発明の一実施形態に係る流体デバイスを用いた方法の手順を示す図である。
【図５】本発明の一実施形態に係る流体デバイスの構成の概略を示す平面図である。
【図６】本発明の一実施形態に係る流体デバイスの構成の概略を示す平面図である。
【図７】本発明の一実施形態に係る流体デバイスの構成の概略を示す平面図である。
【図８】本発明の一実施形態に係る流体デバイスを用いた混合方法、捕捉方法、検出方法の手順を示す図である。
【図９】本発明の一実施形態に係る流体デバイスを用いた混合方法、捕捉方法、検出方法の手順を示す図である。
【図１０】本発明の一実施形態に係る流体デバイスを用いた混合方法、捕捉方法、検出方法の手順を示す図である。
【図１１】本発明の一実施形態に係る流体デバイスを用いた混合方法、捕捉方法、検出方法の手順を示す図である。
【図１２】実施例における、磁性粒子の捕捉の結果を示す図である。
【図１３】実施例における、磁性粒子の捕捉の結果を示す図である。
【図１４】実施例における、磁性粒子の再分散の結果を示す図である。
【図１５】実施例における、磁性粒子の再分散の結果を示す図である。
【図１６】実施例における、磁性粒子の移送及び捕捉の結果を示す図である。
【発明を実施するための形態】
【０００９】
以下、循環型混合器、流体デバイス、システム、混合方法、捕捉方法及び検出方法の実施の形態を、適宜、図を参照して説明する。
【００１０】
［流体デバイスの第１実施形態］
第１実施形態の流体デバイスは、第１実施形態の循環型混合器を有する。流体デバイスは、試料溶液がその内部を移動する流路が形成された基板である。循環型混合器が含む構成は、流体デバイスにも含まれる。
まず、循環型混合器の第１実施形態について説明する。
図１は、第１実施形態の循環型混合器を模式的に示した平面図である。循環型混合器１ａは、循環流路１０を含む。循環流路とは、溶液の少なくとも一部を繰り返し循環させることができる流路である。循環流路には、少なくとも１つの導入流路及び排出流路が接続してもよい。第１実施形態の循環型混合器１ａに含まれる循環流路１０には、排出流路３１及び導入流路２１が接続している。排出流路３１は、循環流路１０から液を排出し、導入流路２１は、循環流路１０に液を導入する。排出流路３１は排出流路バルブＯ１を備えてもよい。
第１実施形態の循環型混合器１ａは、循環流路１０と、導入流路２１と、排出流路３１と、排出流路バルブＯ１と、第一循環流路バルブＶ１と、第二循環流路バルブＶ２と、捕捉部４０と、を備える。
【００１１】
循環型混合器１ａでは、第一循環流路バルブＶ１、第二循環流路バルブＶ２、及び排出流路バルブＯ１の開閉を操作することで、循環流路１０内の液や空気等の排出及び充填を制御できる。本実施形態の循環流路１０において、流路内の壁面と溶液の相互作用（摩擦）により、壁面周辺の流速は遅く、流路中央の流速は速くなる。その結果、液体の流速に分布ができるため、溶液の混合が促進される。循環流路１０は、液体の撹拌を促進するため、急なカーブや、Ｓ字型又はジグザグ状の流路を有していてもよい。当該流路の内径は一例には0.01mm〜3mmであり、例えば0.5mm〜1.5mmである。
【００１２】
循環流路は２以上の循環流路バルブを有してもよい。一例として、図１の循環流路１０は２つの第一循環流路バルブＶ１及び第二循環バルブＶ２を有する。導入流路及び排出流路の少なくとも１つは、循環流路バルブの近傍に配置される。たとえば、図１では、導入流路２１及び排出流路３１は、それぞれ第二循環流路バルブＶ２及び第一循環流路バルブＶ１の近傍に配置されている。
第一循環流路バルブＶ１及び第二循環流路バルブＶ２は、循環流路１０を区画する。図１において、第一循環流路バルブＶ１は、循環流路１０における排出流路３１との左側近傍に配置され、第二循環流路バルブＶ２は、循環流路１０における導入流路２１の左側近傍に配置されている。循環流路バルブが導入流路または排出流路から離れている場合、第一循環流路バルブＶ１及び第二循環流路バルブＶ２を閉じた状態で導入流路２１から液体を流入させると、導入流路または排出流路と循環流路バルブとの間に、それ以前に入っていた液体や気体が残存してしまうことがある。「近傍」は、例えば、かかえる液体や気体の残存が生じない程度に近い距離を意味する。
図１において、第一循環流路バルブＶ１は排出流路３１の右側及び左側のいずれに配置されていてもよく、第二循環流路バルブＶ２は導入流路２１の右側及び左側のいずれに配置されていてもよい。例えば、循環流路１０において、時計回りに、第一循環流路バルブＶ１、導入流路接続部、排出流路接続部、第二循環流路バルブＶ２と位置していてもよい。あるいは、循環流路１０において、時計回りに、導入流路接続部、第一循環流路バルブＶ１、第二循環流路バルブＶ２、排出流路接続部、と位置していてもよい。
【００１３】
循環流路バルブＶ１，Ｖ２のそれぞれは、循環流路バルブＶ１，Ｖ２で区切られる循環流路の区画のそれぞれが所定の体積となるように配置されている。
第一循環流路バルブＶ１および第二循環流路バルブＶ２が閉じられると、循環流路１０は、それぞれ所定の体積を有する流路１０ｘ、１０ｙに区画される。循環流路１０のうち、流路１０ｘは排出流路３１との接続部及び導入流路２１との接続部を含まない流路である。循環流路１０のうち、流路１０ｙは排出流路３１との接続部及び導入流路２１との接続部の双方を含む流路である。第一循環流路バルブＶ１、第二循環流路バルブＶ２、及び排出流路バルブＯ１を開放した状態で、導入流路２１から循環流路１０内に送液し、第一循環流路バルブＶ１と第二循環流路バルブＶ２とを閉じることによって、所定の体積の液体を流路１０ｘに収容することが可能である。
一方、第一循環流路バルブＶ１および第二循環流路バルブＶ２が開かれると、区画された循環流路１０が連通され、区画された循環流路のそれぞれに収容された液が混合可能となる。
循環流路１０内は、予め流路内の体積が定められているので、第一循環流路バルブＶ１及び第二循環流路バルブＶ２により区画された流路１０ｘ及び流路１０ｙに充填された液の体積が正確に把握された状態で、循環流路１０内で液を混合できる。
【００１４】
循環流路１０は、溶液を循環させるためのポンプを有してもよい。循環流路１０がポンプを備える場合、ポンプ駆動によって送液が行われ、複数の液を循環流路１０中で混合することが容易となる。ポンプの駆動によって対流が生じ、複数の液の混合が促進される。ポンプは、バルブの開閉により送液が可能なポンプバルブであってもよい。ポンプは、循環流路１０に配置された少なくとも３つのポンプバルブを含んでもよい。例えば、循環流路１０が少なくとも３つのポンプバルブを含む場合、少なくとも３つのバルブの開閉を制御することにより、循環流路内における送液方向の制御が可能となる。ポンプバルブの数は、４つ以上でもよい。循環流路１０中にポンプが配置されることで、より効率的な液循環が実現される。また、ポンプの駆動によって送液速度や方向が制御できる。なお、循環流路バルブのいずれか又は全てをポンプバルブとして使用してもよい。例えば、循環流路バルブＶ１，Ｖ２の少なくとも１つが、前記ポンプバルブとして用いられてもよい。循環流路バルブがポンプバルブとしての機能も持つ場合、バルブを減らすことができる。そのためバルブを駆動させるための駆動系を少なくすることができる。
【００１５】
捕捉部４０は、循環流路１０に配置され、循環流路１０を循環する溶液中の試料物質を捕捉することができる。捕捉部は、担体粒子に結合した試料物質を捕捉するものであってもよい。以下、試料物質が担体粒子に結合している場合について説明する。
循環流路１０には担体粒子を捕捉する捕捉部４０が設けられている。
担体粒子は、一例として、検出の標的となる試料物質と反応可能な粒子である。試料物質は、例えば、核酸、ＤＮＡ、ＲＮＡ、ペプチド、タンパク質、細胞外小胞体などの生体分子である。
担体粒子と試料物質との反応は、例えば、担体粒子と試料物質との結合、担体粒子と試料物の吸着、試料物質による担体粒子の修飾、試料物質による担体粒子の化学変化などが挙げられる。
本実施形態において用いられる担体粒子は、試料物質と反応可能であって、捕捉部４０に捕捉される粒子である限り特に限定されないが、磁気ビーズ、磁性粒子、金ナノ粒子、アガロースビーズ、プラスチックビーズ等が挙げられる。
試料物質に結合又は吸着可能な物質を表面に備えた担体粒子を用いてもよい。例えば、担体粒子と所定のタンパク質とを結合させる場合、当該タンパク質に結合可能な抗体を表面に備えた担体粒子を用いることができる。試料物質に結合可能な物質は、試料物質の種類に応じて適宜選択すればよい。試料物質に結合又は吸着可能な物質／試料物質又は試料物質に含まれる部位との組み合わせの例としては、アビジン及びストレプトアビジン等のビオチン結合タンパク質／ビオチン、スクシンイミジル基等の活性エステル基／アミノ基、ヨウ化アセチル基／アミノ基、マレイミド基／チオール基（‐ＳＨ）、マルトース結合タンパク質／マルトース、Ｇタンパク質／グアニンヌクレオチド、ポリヒスチジンペプチド／ニッケルあるいはコバルト等の金属イオン、グルタチオン−Ｓ−トランスフェラーゼ／グルタチオン、ＤＮＡ結合タンパク質／ＤＮＡ、抗体／抗原分子（エピトープ）、カルモジュリン／カルモジュリン結合ペプチド、ＡＴＰ結合タンパク質／ＡＴＰ、あるいはエストラジオール受容体タンパク質／エストラジオールなどの、各種受容体タンパク質／そのリガンドなどが挙げられる。
担体粒子と試料物質とは、循環流路１０中で反応してもよい。たとえば、担体粒子を含む液と試料物質を含む溶液とを循環流路１０に導入して、循環流路中で混合することで、担体粒子と試料物質とが結合した複合体が形成される。例えば、粒子表面に生体分子が固定されており、液中に粒子表面の生体分子と結合する試料物質が存在する場合、混合することで衝突頻度を増し、両者の結合反応速度を向上させることが可能である。この技術は、例えば単一項目の測定が主流である免疫測定に適している。
また、担体粒子と試料物質とを予め反応させ、得られた複合体を循環流路１０に導入して、捕捉部４０において捕捉してもよい。
【００１６】
循環流路１０内では、担体粒子を含む液が循環する。担体粒子を含む溶液は、循環流路内を一方向又は双方向に流動し、循環流路内を循環する又は往復する。捕捉部４０は循環流路１０に設けられる。捕捉部４０には、例えば、担体粒子を捕捉する捕捉手段を設置することができる。捕捉部４０には、循環流路１０内を循環している担体粒子の分散液から、該担体粒子を捕捉・収集可能である。捕捉手段は、担体粒子を捕捉可能であれば特に制限されない。一例として、担体粒子に磁気ビーズ又は磁性粒子を用いる場合、捕捉手段としては磁石等の磁力発生源を使用できる。その他の捕捉手段としては、担体粒子と結合可能な充填剤を有するカラム、担体粒子を引きつけ可能な電極等が挙げられる。
捕捉手段は、捕捉部又は後述の流体デバイスに設けられ一体となっていてもよく、捕捉部又は流体デバイスの外部に、別に設けられていてもよい。捕捉手段は、捕捉部又は流体デバイスに対して取り外し可能であってもよい。
捕捉手段と担体粒子は直接接してもよいし、捕捉部に担体粒子を捕捉可能であれば、磁力による捕捉に代表されるように、捕捉手段と担体粒子は直接に接しなくともよい。捕捉手段として、例えば、循環流路１０の流路外の流路近傍に磁石が配置されていてもよい。
捕捉部４０は循環流路１０の一部であってもよい。また、循環流路１０全域において捕捉手段設置部を有していてもよい。捕捉部４０の大きさはどのような大きさであってもよい。捕捉部４０の幅は循環流路１０の幅よりも広くてもよい。
捕捉部４０は、磁石を設置可能な磁石設置部４１を有してもよい。捕捉部４０において、磁石設置部４１と垂直に交わる方向の流路内の内径は、循環流路１０における同方向の流路内の内径よりも小さく形成されていることが好ましい。例えば、捕捉手段が磁石であった場合には、これにより、捕捉手段から流路内の担体粒子までの距離が短くなり、担体粒子の捕捉効率が向上する。
【００１７】
捕捉部４０は、担体粒子に対する親和性を制御可能に構成されていてもよい。例えば、磁石設置部４１の磁石の磁力を制御可能に構成することにより、担体粒子の捕捉と解放（非捕捉）を制御できる。
例えば、磁石と循環流路との距離を変えることにより、担体粒子に与えられる磁力を制御してもよい。磁石が磁石設置部４１に設置され、磁石を循環流路に近接させることにより、担体粒子が磁力により循環流路１０における磁石設置部４１の周辺に捕捉される。一方、磁石が磁石設置部４１から外されて、循環流路から遠ざけられた状態とされることにより、循環流路１０内壁面に捕捉されていた担体粒子の捕捉が解かれる。担体粒子が捕捉状態から自由な状態になることにより、担体粒子は再度溶液中に分散されてもよい。
磁石として電磁石を使用する場合、電流のＯＮ／ＯＦＦ及び電流値の制御により、磁力の強さを制御できる。
【００１８】
このとき、担体粒子は試料物質と結合した状態で捕捉可能である。例えば、試料物質と結合された担体粒子を捕捉部４０に捕捉することで、循環流路１０内を循環する液から、試料物質及び担体粒子を分離可能である。そのため、試料物質及び担体粒子の濃縮や洗浄、移送を効果的に実現できる。
【００１９】
捕捉部４０は、担体粒子を配列可能なアレイ状であってもよい。このような形態としては、担体粒子を捕捉可能な領域がアレイ状に配置されてなるもの、担体粒子を収容可能な孔がアレイ状に配置されてなるもの等が挙げられる。たとえば、担体粒子を捕捉可能な領域はウェル形状でもよく、ウェルのサイズは担体粒子が１個ずつ入るように、担体粒子の径の１〜２倍のサイズであってもよい。また、捕捉手段が複数の磁石がアレイ状に配列された磁石アレイであってもよい。捕捉部４０においては担体粒子を捕捉した状態で、担体粒子に結合する試料物質を解析してもよい。担体粒子を配列させて捕捉することで、担体粒子に結合する試料物質の解析が効率化される。
【００２０】
第１実施形態の循環型混合器によれば、循環流路１０に、第一循環流路バルブＶ１及び第二循環流路バルブＶ２が設けられているため、混合器内において、複数の液の体積を正確に定量し、該複数の液を混合できる。循環流路１０は定量のみならず混合にも用いることができるので、循環型混合器１ａへの溶液の注入と定量を同時に行うことが可能であり、操作の効率化が実現される。
また、循環流路１０に捕捉部４０が設けられているため、試料物質を含む液を一方向又は双方向に流動させて、循環流路内を循環又は往復させて、試料物質を捕捉部に捕捉できる。試料物質を含む液を循環可能であることで捕捉部４０への捕捉機会が促進され、高効率に試料物質の捕捉が可能である。ループ型流路内で試料物質を循環させることで、何度も試料物質が捕捉エリアを通過し、積算効果により捕捉効率は向上する。また、試料物質を担体粒子と結合させ、担体粒子を捕捉部４０に捕捉してもよい。担体粒子と試料物質を捕捉部４０に捕捉した後、試料物質と結合した担体粒子を捕捉部４０に固定したままで洗浄や溶液交換を行うことが可能となり、未結合の試料物質と分離できる。
【００２１】
［流体デバイスの第２実施形態］
第２実施形態の流体デバイスは、第２実施形態の循環型混合器を有する。
まず、循環型混合器の第２実施形態について説明する。
図２は、第２実施形態の循環型混合器を模式的に示した平面図である。第２実施形態では、第１実施形態の構成要素と同一の要素については同一符号を付し、その説明を省略する。
【００２２】
第２実施形態の循環型混合器１ｂは、循環流路１０を含み、第一の液を導入する導入流路２１（第一の導入流路）と、第二の液を導入する導入流路２２（第二の導入流路）とが循環流路１０に接続する。導入流路２１には、導入流路２１を開閉する導入流路バルブＩ１が設けられている。導入流路２２には、導入流路２２を開閉する導入流路バルブＩ２が設けられている。第二循環流路バルブＶ２は、導入流路２１と導入流路２２との間、且つ両流路の近傍に配置される。
【００２３】
第一の導入流路２１、第二の導入流路２２、及び排出流路３１は、循環流路１０の区画のそれぞれに異なる溶液を導入できるように構成されている。
第２実施形態の循環型混合器１ｂによれば、上記第１実施形態と同様の作用・効果が得られることに加えて、導入流路バルブＩ１，Ｉ２の開閉を操作することで、循環流路バルブＶ１，Ｖ２によって区画された循環流路１０内の流路１０ｘ、１０ｙに対して第一の液と第二の液とを区画した状態で個別に、液や空気等の充填を制御できる。このことによって、第一の液と第二の液との混合反応を正確に制御することができる。例えば、第一の液に抗体が含まれており、第二の液に抗原が含まれている場合、循環流路バルブＶ１、Ｖ２を開放するまでの間は抗原抗体反応が起こらないようにすることができる。
【００２４】
なお、例えば循環型混合器１ｂにおいて、循環流路１０には、さらに第三循環流路バルブＶ３（不図示）が設けられてもよく、排出流路３１は、循環流路１０における第一循環流路バルブＶ１と第三循環流路バルブＶ３との間に接続されていてもよい。第三循環流路バルブＶ３の開閉を操作することで、循環流路バルブによって区画された循環流路１０内から個別に、液や空気等の排出及び充填を制御できる。この場合、溶液の導入は例えば以下のように説明できる。まず、第二循環流路バルブＶ２と第三循環流路バルブＶ３を閉じ、導入流路バルブＩ１、第一循環流路バルブＶ１、及び排出流路バルブＯ１を開けた状態で、第一の導入流路２１から第一の液を導入する。第一の液は流路１０ｘを通って排出流路３１に排出される。その後、第一循環流路バルブＶ１を閉じると、第一の液は流路１０ｙを通ることなく、流路１０ｘに充填される。次に、第三循環流路バルブを開放して、第二の導入流路２２から第二の液を導入する。すると、第二の液は流路１０ｙを通って排出流路３１に排出される。その後、排出バルブＯ１を閉じると、第二の液は流路１０ｘを通ることなく、流路１０ｙに充填される。このように、第三循環流路バルブＶ３が設けられることにより、第一の液と第二の液とが、混合の前に不要に接触することを抑制できる。
【００２５】
［流体デバイスの第３実施形態］
第３実施形態の流体デバイスは、第３実施形態の循環型混合器を有する。
まず、循環型混合器の第３実施形態について説明する。
図３は、第３実施形態の循環型混合器を模式的に示した平面図である。第３実施形態では、第２実施形態の構成要素と同一の要素については同一符号を付し、その説明を省略する。
【００２６】
第３実施形態の循環型混合器１ｃは循環流路１０を含み、排出流路３１と、排出流路３２とが循環流路１０に接続する。排出流路３１には、排出流路３１を開閉する排出流路バルブＯ１が設けられている。排出流路３２には、排出流路３２を開閉する排出流路バルブＯ２が設けられている。循環流路バルブＶ１は、排出流路３１と排出流路３２の間、且つ両流路の近傍に配置される。第３実施形態の循環型混合器１ｃは、検出部６０を、更に備える。
【００２７】
検出部６０は、循環流路１０に配置され、循環流路１０を循環する溶液中の試料物質を検出する。検出部６０は、担体粒子に結合した試料物質を検出するものであってもよい。以下、試料物質が担体粒子に結合している場合について説明する。
検出部６０は捕捉部４０に捕捉された担体粒子に結合した試料物質を検出可能なよう、捕捉部４０に向けて配置される。ここでは、捕捉部４０及び検出部６０が、循環流路１０の同じ位置に配置されている。
検出部６０は、試料物質を検出できる限り、どのような構成であってもよいが、例えば、試料物質を光検出するものであってもよい。一例として、対物レンズ、撮像部を備えていてもよく、撮像部は、例えばＥＭＣＣＤ（Electron Multiplying Charge Coupled Device）カメラを備えていてもよい。
或いは、検出部６０は、試料物質を電気化学検出するものであってもよく、一例として、電極を備えていてもよい。
試料物質を検出するとは、試料物質を間接的に検出することも含む意味で用いている。試料物質を間接的に検出する例として、試料物質を、試料物質の検出を補助する検出補助物質と結合させてもよい。検出補助物質としては、標識物質が挙げられる。
標識物質としては、例えば、蛍光色素、蛍光ビーズ、蛍光タンパク質、量子ドット、金ナノ粒子、ビオチン、抗体、抗原、エネルギー吸収性物質、ラジオアイソトープ、化学発光体、酵素等が挙げられる。
蛍光色素としては、ＦＡＭ（カルボキシフルオレセイン）、ＪＯＥ（６−カルボキシ−４’,５’−ジクロロ２’ ,７’−ジメトキシフルオレセイン）、ＦＩＴＣ（フルオレセインイソチオシアネート）、ＴＥＴ（テトラクロロフルオレセイン）、ＨＥＸ（５&apos;−ヘキサクロロ−フルオレセイン−ＣＥホスホロアミダイト）、Ｃｙ３、Ｃｙ５、Ａｌｅｘａ５６８、Ａｌｅｘａ６４７等が挙げられる。
酵素としては、アルカリフォスファターゼ、ペルオキシダーゼ等が挙げられる。
これらの標識物質を検出部６０によって検出することで試料物質を検出可能である。標識物質として酵素を用いる場合、基質との反応により生成される色素や蛍光等の反応産物を検出部６０によって検出することで、試料物質を検出可能である。
【００２８】
例えば、試料物質を含む溶液と、検出補助物質を含む溶液を循環流路１０内で循環させて、検出補助物質と結合させることで、試料物質検出のための前処理が可能である。
【００２９】
なお、本実施形態においては、検出部６０は捕捉部４０に向けて配置されることとし、捕捉部４０及び検出部６０が、循環流路１０の同じ位置に配置されることとたが、検出方法によっては、検出部は捕捉部４０に向けて配置されていなくともよい。循環流路内の検出部６０の位置は任意である。
【００３０】
なお、本実施形態において、循環型混合器１ｃは導入流路と排出流路を二つずつ備えるが、検出部６０及び捕捉部４０を備える循環型混合器であっても、導入流路と排出流路の本数は任意である。例えば、循環型混合器１ａ，１ｂで例示したように導入流路は一本または二本、排出流路は一本でもよい。
【００３１】
第３実施形態の循環型混合器１ｃによれば、上記第２実施形態と同様の作用・効果が得られることに加えて、排出流路バルブＯ１，Ｏ２の開閉を操作することで、循環流路バルブＶ１，Ｖ２によって区画された循環流路１０内の流路１０ｘ、１０ｙに対して個別に、液や空気等の排出及び充填を制御できる。また、循環流路１０に検出部６０が設けられているため、担体粒子に結合した試料物質の検出機会が促進され、高効率に試料物質の検出が可能である。
【００３２】
（循環型混合器１ａを用いた混合方法）
第１実施形態の混合方法を、以下、図４Ａ〜Ｅを参照して説明する。第１実施形態の混合方法は、第１実施形態の循環型混合器１ａを用いた混合方法である。まず、循環型混合器１ａの、循環流路バルブＶ１，Ｖ２、および排出流路バルブＯ１が開かれた状態で（図４Ａ参照）、導入流路２１から循環流路１０内に第一の液９１を送液する（図４Ｂ参照）。次いで、循環流路バルブＶ１，Ｖ２を閉めて流路１０ｘと流路１０ｙとを区画する（図４Ｃ参照）。これにより、流路１０ｘの区画の容積の第一の液９１が、流路１０ｘに充填される。そして、導入流路２１から循環流路１０ｙ内に第二の液９２を送液する（図４Ｄ参照）。これにより、流路１０ｙ内に第二の液９２が充填される。排出バルブＯ１を閉じると、流路１０ｙの容積の第二の液９２が、流路１０ｙに充填される（図４Ｄ参照）。循環流路バルブＶ１，Ｖ２を開け、第一の液９１と第二の液９２とを循環流路１０内を循環させて混合し、第三の液９３を得る（図４Ｅ参照）。
【００３３】
第１実施形態の混合方法によれば、循環流路バルブＶ１，Ｖ２の開閉によって、循環流路１０の区画化と連通を制御することで、第一の液９１及び第二の液９２の定量及びそれらの混合が可能である。
【００３４】
（循環型混合器１ｃを用いた混合方法）
第２実施形態の混合方法を、以下、図４Ｆ〜Ｈを参照して説明する。第２実施形態の混合方法は、第３実施形態の循環型混合器１ｃを用いた混合方法である。本実施形態の混合方法は、導入工程と、混合工程とを含む。
導入工程は、前記２つの循環流路バルブを閉めた状態で、前記循環流路バルブで区切られる区画の一方に試料物質を含む溶液を導入し、もう一方の区画に前記試料物質と結合する担体粒子を含む溶液を導入する工程である。
まず、循環型混合器１ｃの、導入流路バルブＩ１，Ｉ２、排出流路バルブＯ１，Ｏ２が開かれ、循環流路バルブＶ１，Ｖ２が閉じられた状態で、導入流路２１から循環流路１０ｘ内に試料物質を含む第一の液９１を送液する（図４Ｆ参照）。排出流路バルブＯ１と、必要に応じて導入流路バルブＩ１とを閉じることにより、流路１０ｘの区画の容積の第一の液９１が流路１０ｘ内に充填される。一方、導入流路２２から循環流路１０ｙ内に担体粒子を含む第二の液９２を送液する。排出流路バルブＯ２と、必要に応じて導入流路バルブＩ２とを閉じることにより、流路１０ｙの区画の容積の第二の溶液９２が流路１０ｙ内に充填される。（図４Ｇ参照）。
混合工程は、前記循環流路バルブをすべて開放し、前記循環流路内で溶液を循環させて混合する工程である。すなわち、循環流路バルブＶ１，Ｖ２を開け、第一の液９１と第二の液９２とを循環流路１０内を循環させて混合し、第三の液９３を得る（図４Ｈ参照）。
【００３５】
（循環型混合器１ｃを用いた捕捉方法）
実施形態の捕捉方法は、第３実施形態の循環型混合器１ｃを用いた方法であり、担体粒子に結合した試料物質を捕捉する方法である。本方法は、導入工程と、混合工程と、捕捉工程とを含む。導入工程及び混合工程は、前記（循環型混合器１ｃを用いた混合方法）で説明したものが挙げられる。
捕捉工程は、前記担体粒子を前記捕捉部に捕捉する工程である。
混合工程で得られた第三の液９３には、試料物質と担体粒子の複合体が含まれており、担体粒子を捕捉部４０に捕捉することにより試料物質が捕捉部４０に捕捉される。
【００３６】
（循環型混合器１ｃを用いた検出方法）
実施形態の検出方法は、第３実施形態の循環型混合器１ｃを用いた方法であり、担体粒子に結合した試料物質を検出する方法である。本方法は、導入工程と、混合工程と、捕捉工程と、検出工程とを含む。導入工程、混合工程及び捕捉工程は、前記（循環型混合器１ｃを用いた混合方法）（循環型混合器１ｃを用いた捕捉方法）で説明したものが挙げられる。
検出工程は、前記捕捉部に捕捉された前記担体粒子に結合した試料物質を、前記検出部で検出する工程である。
捕捉工程で捕捉部４０に捕捉された担体粒子に結合した試料物質は、検出部６０によって、その存在が検出される。
【００３７】
［流体デバイスの第４実施形態］
実施形態の流体デバイスは、第４実施形態の循環型混合器を有する。
まず、循環型混合器の第４実施形態について説明する。本実施形態の循環型混合器は、前記循環流路（第一の循環流路）１０とは別の、少なくとも１つのさらなる循環流路（第二の循環流路）５０を含む。
第一の循環流路には、溶液中の試料物質を捕捉する捕捉部が配置され、
第二の循環流路には、溶液中の試料物質を検出する検出部が配置される。
循環型混合器は、第一の循環流路と第二の循環流路とを直接又は間接に接続する接続流路を含んでもよい。
図５は、第４実施形態の循環型混合器を模式的に示した平面図である。第４実施形態では、第３実施形態の構成要素と同一の要素については同一符号を付し、その説明を省略する。
【００３８】
第４実施形態の循環型混合器１ｄは、担体粒子を含む液が循環する第一循環流路１０と、第一循環流路１０から導入された液が循環する第二循環流路５０とを備える。第一循環流路１０には、循環流路バルブＶ１，Ｖ２，Ｖ３が配置されている。第二循環流路５０は、担体粒子と結合した試料物質を検出する検出部６０とを備える。
第一循環流路１０では、試料物質を循環させて検出補助物質と結合させることで、試料物質検出のための前処理が可能である。前処理された試料物質は、第一循環流路１０から第二循環流路５０に送液される。第二循環流路５０では、前処理された試料物質が検出される。前処理された試料物質は第二循環流路５０において循環されることで検出部６０と繰返し接触し、効率良く検出される。
【００３９】
検出部６０は捕捉部４２に捕捉された担体粒子に結合した試料物質を検出可能なよう、捕捉部４２に向けて配置される。捕捉部４２としては、上記捕捉部４０として説明したものが挙げられる。なお、本実施形態においては、検出部６０は捕捉部４２に向けて配置されることとし、捕捉部４２及び検出部６０が、第二循環流路５０の同じ位置に配置されることとたが、検出方法によっては、検出部は捕捉部４２に向けて配置されていなくともよい。第二循環流路５０内の検出部６０の位置は任意である。
【００４０】
第一循環流路１０には、それぞれ第一〜第五の液を導入する導入流路２１，２２，２３，２４，２５が接続する。導入流路２１，２２，２３，２４，２５にはそれぞれ、導入流路を開閉する導入流路バルブＩ１，Ｉ２，Ｉ３，Ｉ４，Ｉ５が設けられている。
また、第一循環流路１０には、空気を導入する導入流路８１が接続し、導入流路８１には導入流路を開閉する導入流路バルブＡ１が設けられている。
第一循環流路１０には、排出流路３１，３２，３３が接続する。排出流路３１，３２，３３にはそれぞれ、排出流路を開閉する排出流路バルブＯ１，Ｏ２，Ｏ３が設けられている。
循環流路１０には、循環流路１０を区画する第一循環流路バルブＶ１、第二循環流路バルブＶ２、第三循環流路バルブＶ３が設けられている。第一循環流路バルブＶ１は排出流路３１の近傍に配置される。第二循環流路バルブＶ２は、導入流路２１及び導入流路２２の間、且つ両流路の近傍に配置される。第三循環流路バルブＶ３は、排出流路３２及び排出流路３３間且つ両流路の近傍に配置される。
このように、循環流路１０は、第一循環流路バルブＶ１、第二循環流路バルブＶ２、第三循環流路バルブＶ３が閉じたときに３つの流路１０ｘ，１０ｙ，１０ｚに区画され、各区画には、少なくとも一つの導入流路及び排出流路が接続する。
【００４１】
第二循環流路５０には、導入流路２６，２７が接続する。導入流路２６，２７にはそれぞれ、導入流路を開閉する導入流路バルブＩ６，Ｉ７が設けられている。
また、第二循環流路５０には、空気を導入する導入流路８２が接続し、導入流路８２には導入流路を開閉する導入流路バルブＡ２が設けられている。
第二循環流路５０には、排出流路３４が接続する。排出流路３４には、排出流路を開閉する排出流路バルブＯ４が設けられている。
【００４２】
循環流路１０には、ポンプバルブＶ４，Ｖ５が設けられている。ここで第三循環流路バルブＶ３はポンプバルブとしても兼用される。第二循環流路５０には、ポンプバルブＶ６，Ｖ７，Ｖ８が設けられている。
【００４３】
なお、第二循環流路５０は、２以上の循環流路バルブにより、それぞれ所定の体積を有する２以上の区画に区画化されてもよい。第４実施形態の循環型混合器１ｄでは、バルブＶ６，Ｖ７，Ｖ８はポンプバルブとしていたが、これらのバルブが閉じたときに第二循環流路５０を区画してもよい。バルブを用いた第二循環流路の区画については、実施形態の循環流路１０において説明した態様を採用可能である。
【００４４】
第二循環流路５０内の容積は、第一循環流路１０内の容積よりも小さくてもよい。ここで循環流路内の容積とは、循環流路内で液が循環される際の循環流路内の容積である。第一循環流路内１０の容積は、一例として、バルブＶ１，Ｖ２，Ｖ３，Ｖ４，Ｖ５が開かれ、バルブＩ１，Ｉ２，Ｉ３，Ｉ４，Ｉ５，Ｏ１，Ｏ２，Ｏ３，Ａ１，Ｖ９が閉じられた際の循環流路１０内の容積である。第二循環流路５０内の容積は、一例として、バルブＶ６，Ｖ７，Ｖ８が開かれ、バルブＩ６，Ｉ７，Ｏ４，Ａ２，Ｖ９が閉じられた際の第二循環流路５０内の容積である。
第二循環流路５０内の容積が、循環流路１０内の容積より小さくされていることで、循環流路１０において循環する液よりも第二循環流路５０で循環する液の方が少なくなる。そのため、検出に使用される薬剤の使用量を抑えることができる。また、第二循環流路５０内の容積が、循環流路１０内の容積より小さくされていることで、検出感度の向上が可能となる。例えば、検出対象物が第二循環流路５０内の液に分散又は溶解している場合、第二循環流路５０内の液量を小さくすることによって検出対象物が濃縮されるので、検出感度を向上可能である。
また、第二循環流路５０内の容積は、循環流路１０内の容積より大きくてもよい。この場合、循環流路１０において循環する液よりも第二循環流路５０で循環する液の方が多くなる。この場合、例えば例えば循環流路１０で循環した液を第二循環流路５０に移送し、更に測定液や基質溶液を追加することができる。
【００４５】
第一循環流路１０と第二循環流路５０とは、接続流路１００により接続される。接続流路１００には、接続流路１００を開閉する接続流路バルブＶ９が設けられている。接続流路バルブＶ９が閉じられた状態で、循環流路１０において液を循環させて前処理等を行う。その後、接続流路バルブＶ９を開放し、接続流路を通じて第二循環流路に送液する。その後、接続流路バルブＶ９を閉じて、第二循環流路において液を循環させて検出反応を行う。このことによって、必要な前処理を行った後に第二循環流路に前処理後の試料が送液されるため、第二循環流路５０で不要な物質が循環することを防ぐことができる。そのため、コンタミネーションや検出時のノイズを抑制できる。また、第一循環流路１０と第二循環流路５０とでは、液が循環可能な流路を互いに共有しない。循環可能な流路を互いに共有しないことにより、循環流路１０内の壁面に付着するなどした残留物が、第二循環流路５０で循環されるおそれが低減され、循環流路１０内に残った残留物に起因する第二循環流路５０での検出時におけるコンタミネーションの低減が可能である。
【００４６】
なお、流体デバイスは、第一循環流路１０、第二循環流路５０とは別の１または２以上のさらなる循環流路を含んでもよい。
【００４７】
第４実施形態の循環型混合器１ｄによれば、上記第３実施形態と同様の作用・効果が得られることに加えて、複数種類の液が循環して混合される循環流路１０とは別の循環流路である第二循環流路５０に、検出部６０が備えられている。このため、検出の前処理としての液の混合と試料物質の検出とを別の循環流路で行うことにより、試料物質検出のための前処理の混合用の条件と検出用の条件とを、各々の循環流路で独立に選択可能である。
したがって、液の混合、及び試料物質の検出が効率化される。
なお、循環流路１０内で混合された後に第二循環流路５０に導入された液に、第二循環流路５０において、さらに基質溶液や測定液などを添加し、混合してもよい。
【００４８】
［流体デバイスの第５実施形態］
図６は、第５実施形態の流体デバイスを模式的に示した平面図である。
第５実施形態の流体デバイス２００は、循環型混合器１ｄを備える。循環型混合器の第４実施形態の構成要素と同一の要素については同一符号を付し、その説明を省略する。
流体デバイス２００は、検体試料に含まれる検出対象である抗原（試料物質、生体分子）を免疫反応及び酵素反応により検出するデバイスである。
流体デバイス２００は、循環型混合器１ｄを構成する流路やバルブが形成された基板である。流体デバイス２００は、例えば、流路を形成した基板２０１と、リザーバーを形成した基板とを貼り合わせて形成してもよい。図６には、リザーバーを形成した基板は示されていないが、理解のためリザーバーの位置は示されている。
【００４９】
流体デバイス２００は、導入する試料、試薬、空気別に導入用のインレットを備えている。
流体デバイス２００は、第一試薬導入用インレット１０ａと、検体導入用インレット１０ｂと、第二試薬導入用インレット１０ｃと、洗浄液導入用インレット１０ｄと、移送液導入用インレット１０ｅと、空気導入用インレット１０ｆとを備える。
第一試薬導入用インレット１０ａは、基板２０１の表面に開口しており、基板２０１に貼り合わされた基板に形成されたリザーバー１１ａに接続している。リザーバー１１ａに収容された第一試薬は、第一試薬導入用インレット１０ａを介して第一循環流路１０へと導入される。
検体導入用インレット１０ｂは、基板２０１の表面に開口しており、基板２０１に貼り合わされた基板に形成されたリザーバー１１ｂに接続している。リザーバー１１ｂに収容された検体は、検体導入用インレット１０ｂを介して第一循環流路１０へとを導入される。
第二試薬導入用インレット１０ｃは、基板２０１の表面に開口しており、基板２０１に貼り合わされた基板に形成されたリザーバー１１ｃに接続している。リザーバー１１ｃに収容された第二試薬は、第二試薬導入用インレット１０ｃを介して第一循環流路１０へと導入される。
図６に示すように、第一試薬を導入する導入流路の循環流路１０への接続部と、検体を導入する導入流路の循環流路１０への接続部同士は、近接して配置される。より詳しくは、第二試薬を導入する導入流路の循環流路１０への接続部とよりも、近接して配置される。この構成により、第一試薬と検体との反応が促進される。
【００５０】
洗浄液導入用インレット１０ｄは、基板２０１の表面に開口しており、基板２０１に貼り合わされた基板に形成されたリザーバー１１ｄに接続している。リザーバー１１ｄに収容された洗浄液は、洗浄液導入用インレット１０ｄを介して第一循環流路１０へと導入可能される。
移送液導入用インレット１０ｅは、基板２０１の表面に開口しており、基板２０１に貼り合わされた基板に形成されたリザーバー１１ｅに接続している。リザーバー１１ｅに収容された移送液は、移送液導入用インレット１０ｅを介して循環流路１０へと導入される。
空気導入用インレット１０ｆは、流体デバイスの表面に開口しており、開口を介して循環流路１０へと、空気を導入可能である。
【００５１】
流体デバイス２００は、基質溶液導入用インレット５０ａと、測定液導入用インレット５０ｂと、空気導入用インレット５０ｃとを備える。
基質溶液導入用インレット５０ａは、基板２０１の表面に開口しており、基板２０１に貼り合わされた基板に形成されたリザーバー５１ａに接続している。リザーバー５１ａに収容された基質溶液は、基質溶液導入用インレット５０ａを介して第二循環流路５０へと導入される。
測定液導入用インレット５０ｂは、基板２０１の表面に開口しており、基板２０１に貼り合わされた基板に形成されたリザーバー５１ｂに接続している。リザーバー５１ｂに収容された測定液は、測定液導入用インレット５０ｂを介し第二循環流路５０へと導入される。
空気導入用インレット５０ｃは、流体デバイスの表面に開口しており、開口を介して導入流路８２から第二循環流路５０へと、空気を導入可能である。
【００５２】
排出流路３１，３２，３３は、廃液槽７０に接続されている。廃液槽７０は、アウトレット７０ａを備える。アウトレット７０ａは、流体デバイス２００の表面に開口しており、一例として、外部吸引ポンプ（不図示）と接続されて負圧吸引できる。
【００５３】
インレット１０ａ，１０ｂ，１０ｃ，１０ｄ，１０ｅ，１０ｆ、及びリザーバー１１ａ，１１ｂ，１１ｃ，１１ｄ，１１ｅは、第一循環流路１０の内側である循環流路内側領域１０ｉに配置してもよく、第一循環流路の外側に配置してもよい。循環流路１０は、混合及び定量の観点から、ある程度の流路長を有していることが好ましい。そこで循環流路内側領域１０ｉに、検体や試薬類の導入のための構成を配置可能である。循環流路１０に導入される検体や試薬類のための構成をまとめて配置することで、循環流路１０に導入される液を導入する導入用ポートの構成をコンパクト化できる。一方、リザーバーの大きさ等によっては、リザーバーやインレットを第一循環流路の外側に配置してもよい。
循環流路１０の外側には廃液槽７０が配置される。廃液槽７０を循環流路外側領域に配置することで、廃液の貯留スペースやアウトレット等の排出部の確保が容易となる。また、廃液槽７０から液体のみを排出する場合には、廃液槽７０を循環流路外側領域に配置することで、廃液処理が容易になる。別法として、廃液槽は基板２０１とは別の基板に形成してもよく、その場合、廃液槽を第一循環流路の位置と関係なく配置することも可能である。
【００５４】
なお、循環型混合器１ｄにおいては、第二循環流路５０は第一循環流路の外側に配置されているが、循環流路内側領域１０ｉに第二循環流路５０が配置されていてもよい。その逆に、第二循環流路５０の内側領域に第一循環流路１０が配置されていてもよい。例えば、図７に示す流体デバイス２１０では、第一循環流路１０と第二循環流路５０とが接続流路で接続された二重構造になっており、例えば、外側のループ構造である循環流路１０で混合された液を、内側のループ構造である第二循環流路５０に導入してもよい。このとき、インレット及びリザーバーは、外側のループ構造である循環流路１０の外側に配置されていてもよく、循環流路１０の内側であって第二循環流路５０の外側に配置されていてもよい。係る構成によれば、循環型混合器の省スペース化が図れ、流体デバイスのコンパクト化を実現できる。
【００５５】
（流体デバイス２００を用いた混合方法・捕捉方法・検出方法）
次に、上記構成の流体デバイス２００を用いた混合方法、捕捉方法、及び検出方法について説明する。流体デバイス２００は循環型混合器１ｄを備えるので、以下、循環型混合器１ｄ用いた混合方法、捕捉方法、及び検出方法について説明する。循環型混合器１ｄにおける循環流路バルブのそれぞれは、前記循環流路バルブで区切られる循環流路の区画のそれぞれが所定の体積となるように配置されている。
本実施形態の捕捉方法は、担体粒子に結合した試料物質を捕捉する。本実施形態の検出方法は、検体試料に含まれる検出対象である抗原（試料物質、生体分子）を免疫反応及び酵素反応により、担体粒子に結合した試料物質を検出する。
【００５６】
（導入工程・区画化工程）
本実施形態の方法は、前記第一の循環流路の循環流路バルブを閉めた状態で、前記第一の循環流路バルブで区切られる区画の少なくとも一つに試料物質を含む溶液を導入し、別の少なくとも一つの区画に前記試料物質と結合する担体粒子を含む溶液を導入する導入工程を含む。
前記第一の循環流路が三つの循環流路バルブを有し、前記導入工程において、一つの区画に試料物質を含む溶液を導入し、一つの区画に前記試料物質と結合する担体粒子を含む溶液を導入し、一つの区画に検出補助物質を含む溶液を導入する。
まず、図８に示すように、導入流路バルブＩＩ，Ｉ２，Ｉ３を開き、第一循環流路バルブＶ１、第二循環流路バルブＶ２、第三循環流路バルブＶ３を閉じた状態で、第一試薬導入用インレット１０ａから第一試薬を、検体導入用インレット１０ｂから検体を、第二試薬導入用インレット１０ｃから第二試薬を導入する。このとき、導入流路バルブＩ５，Ｉ４，Ａ１は閉じられている。
このようにして、第一循環流路バルブＶ１と第二循環流路バルブＶ２とで区画化された循環流路１０の流路１０ｘに、第一試薬が導入される。第二循環流路バルブＶ２と第三循環流路バルブＶ３とで区画化された循環流路１０の流路１０ｙに、検体が導入される。第三循環流路バルブＶ３と第一循環流路バルブＶ１とで区画化された循環流路１０の流路１０ｚに、第二試薬が導入される。
第一試薬は、磁性粒子（担体粒子）を含有する。磁性粒子の表面には、検出対象の抗原（試料物質）に特異的に結合する抗体Ａが固定化されている。検体は、検出対象である抗原を含有する。検体としては、血液、尿、唾液、血漿、血清等の体液、細胞抽出物、組織破砕液等が挙げられる。第二試薬は、検出対象の抗原に特異的に結合する抗体Ｂを含有する。抗体Ｂには、アルカリフォスファターゼ（検出補助物質、酵素）が固定化され標識されている。
【００５７】
（混合工程）
次には、前記第一の循環流路の循環流路バルブをすべて開放し、前記第一の循環流路内で溶液を循環させて混合する。この工程について説明する。
まず、図９に示すように、導入流路バルブＩＩ，Ｉ２，Ｉ３を閉じる。また、接続流路バルブＶ９は閉じられている。これにより、第一循環流路１０に接続する流路との連通が遮断され、第一循環流路１０が孤立する。そして、第一循環流路バルブＶ１、第二循環流路バルブＶ２、及び第三循環流路バルブＶ３を開け、ポンプバルブＶ３，Ｖ４，Ｖ５を作動させて、第一試薬、検体、及び第二試薬を循環流路１０内で循環させて混合し、これらの混合液を得る。第一試薬、検体、及び第二試薬の混合により、担体粒子に固定化された抗体Ａに抗原が結合し、該抗原に酵素が固定化された抗体Ｂが結合する。これにより、混合工程において担体粒子−抗原−酵素複合体が形成される。このようにして、混合工程において、担体粒子−試料物質−検出補助物質複合体を得る。
【００５８】
（磁石設置工程・捕捉工程）
次に、前記担体粒子を前記捕捉部に捕捉する捕捉工程について説明する。
捕捉部４０は磁性粒子を捕捉する磁石を設置可能な磁石設置部４１を備える。磁石設置部４１は、磁石の磁力を制御可能に構成されている。磁石設置部の磁石の磁力を高めて溶液を循環させると、前記担体粒子が前記捕捉部に捕捉される。例えば、磁石を磁石設置部４１に設置し、磁石が循環流路に近接した捕捉可能状態とする。この状態で、ポンプバルブＶ３，Ｖ４，Ｖ５を作動させて、担体粒子−抗原−酵素複合体を含む液を循環流路１０内で循環させ、捕捉部４０に担体粒子−抗原−酵素複合体を捕捉する。担体粒子−抗原−酵素複合体は、循環流路内を一方向又は双方向に流動し、循環流路内を循環する又は往復する。図９では、担体粒子−抗原−酵素複合体が一方向に循環する様子を示している。複合体は、捕捉部における循環流路１０内壁面上に捕捉され、液成分から分離される。
【００５９】
（洗浄工程）
次に、捕捉部に捕捉された担体粒子を洗浄する工程について説明する。
導入流路バルブＡ１及び排出流路バルブＯ２を開け、第三循環流路バルブＶ３を閉じ、アウトレット７０ａから負圧吸引し、空気導入用インレット１０ｆから循環流路１０内へと空気を導入する。これにより、担体粒子−抗原−酵素複合体と分離された液成分（廃液）を、排出流路３２を介して第一循環流路１０から排出する。廃液は廃液槽７０に貯留される。第三循環流路バルブＶ３を閉じることで、循環流路１０全体へと効率よく空気が導入される。
その後、排出流路バルブＯ２及び第三循環流路バルブＶ３を閉じ、導入流路バルブＩ４及び排出流路バルブＯ３を開け、アウトレット７０ａから負圧吸引し、洗浄液導入用インレット１０ｄから、第一循環流路１０内へと洗浄液を導入する。第三循環流路バルブＶ３を閉じることで、第一循環流路１０を満たすように洗浄液が導入される。
第三循環流路バルブＶ３を開け、導入流路バルブＩ４及び排出流路バルブＯ２を閉めて、循環流路１０を閉鎖し、ポンプバルブＶ３，Ｖ４，Ｖ５を作動させて、洗浄液を循環流路１０内で循環させ、担体粒子を洗浄する。
続いて、導入流路バルブＡ１及び排出流路バルブＯ２を開け、第三循環流路バルブＶ３を閉じ、アウトレット７０ａから負圧吸引し、空気導入用インレット１０ｆから循環流路１０内へと空気を導入する。これにより、洗浄液を循環流路１０から排出し、担体粒子−抗原−酵素複合体を形成しなかった抗体Ｂを循環流路１０内から排出する。
なお、洗浄液の導入と排出は複数回行われてもよい。繰返し、洗浄液を導入し、洗浄し、洗浄後の液を排出することによって、不要物の除去効率が高まる。
【００６０】
（移送工程）
次に、前記担体粒子を前記捕捉部から解放し、前記担体粒子に結合した又は遊離した試料物質を含む溶液を、前記接続流路を通じて前記第二循環流路に移送する移送工程について説明する。
導入流路バルブＩ５及び排出流路バルブＯ３を開け、排出流路バルブＯ２及び第三循環流路バルブＶ３を閉じ、アウトレット７０ａから負圧吸引し、移送液導入用インレット１０ｅから循環流路１０内へと移送液を導入する。
また、導入流路バルブＩ５及び排出流路バルブＯ２を開け、排出流路バルブＯ３及び第三循環流路バルブＶ３を閉じ、アウトレット７０ａから負圧吸引し、移送液導入用インレット１０ｅから循環流路１０内へと移送液を導入する。
続いて、第三循環流路バルブＶ３を開け、導入流路バルブＩ５及び排出流路バルブＯ２，Ｏ３を閉め、循環流路１０を閉鎖する。そして、磁石を磁石設置部４１から外し、循環流路から遠ざけて、循環流路１０内壁面上に捕捉されていた担体粒子−抗原−酵素複合体の捕捉を解く。ポンプバルブＶ３，Ｖ４，Ｖ５を作動させて、移送液を循環流路１０内で循環させ、担体粒子−抗原−酵素複合体を移送液中に分散させる。このようにして、移送工程において、担体粒子−試料物質−検出補助物質複合体を含む溶液を第二の循環流路に移送する。
なお、本実施形態では、試料物質を担体粒子ごと捕捉部４０から解放したが、担体粒子を捕捉したまま試料物質を担体粒子から解放して、試料物質を移送液中に含有させ、後の検出工程で試料物質を検出部で検出してもよい、
【００６１】
続いて、図１０に示すように、導入流路バルブＡ１、接続流路バルブＶ９、排出流路バルブＯ４を開け、アウトレット７０ａから負圧吸引し、空気導入用インレット１０ｆを介して循環流路１０内へと空気を導入する。担体粒子−抗原−酵素複合体を含む移送液が空気によって押し出され、接続流路１００を通じて第二循環流路５０へと導入される。このときバルブＶ６を閉じておき、移送液が排出流路３４と第二循環流路５０との接続部まで達したら、今度はバルブＶ７を閉じて、第二循環流路５０内を移送液で満たす。担体粒子−抗原−酵素複合体が第二循環流路５０へと移送される。移送液の少なくとも一部は、少なくとも１つの前記区画に導入してもよい。
なお、第二循環流路５０の循環流路バルブ（ポンプバルブ）の少なくとも２つを閉じて２以上の区画に分け、移送液の少なくとも一部を、少なくとも１つの前記区画に導入してもよい。その場合、他の区画に検出に必要な試薬を予め充填しておき、循環流路バルブを開放して移送液と試薬を混合した後、検出することができる。
なお、本実施形態では、移送工程において、接続流路バルブＶ９を解放したが、前記移送工程に先立って前記接続流路バルブを開放してもよい。
【００６２】
（検出工程）
次に、捕捉部に捕捉された前記担体粒子に結合した試料物質を、前記検出部で検出する検出工程について説明する。移送液の第二循環流路５０への移送が完了した後、図１１に示すように、接続流路バルブＶ９、排出流路バルブＯ４を閉めて、第二循環流路５０を閉鎖し、ポンプバルブＶ６，Ｖ７，Ｖ８を作動させて、移送液を第二循環流路５０内で循環させ、担体粒子−抗原−酵素複合体を捕捉部４２に捕捉する。
導入流路バルブＡ２、排出流路バルブＯ４を開け、アウトレット７０ａから負圧吸引し、空気導入用インレット５０ｃから導入流路８２を介して、第二循環流路５０内へと空気を導入する。これにより、担体粒子−抗原−酵素複合体と分離された移送液の液成分（廃液）を、排出流路３４を介して第二循環流路５０から排出する。廃液は廃液槽７０に貯留される。このときバルブＶ６又はＶ７を閉じることで第二循環流路５０全体へと効率よく空気が導入される。
検出に先立って、別の少なくとも１つの前記区画に、検出補助物質を含む溶液を導入してもよい。導入流路バルブＩ６及び排出流路バルブＯ４を開け、バルブＶ７を閉じ、アウトレット７０ａから負圧吸引し、基質溶液導入用インレット５０ａから導入流路２６を介して、第二循環流路５０内へと基質溶液を導入する。基質溶液は、アルカリフォスファターゼ（酵素）の基質となる3-(2&apos;-spiroadamantane)-4-methoxy-4-(3&apos;&apos;-phosphoryloxy)phenyl-. 1, 2-dioxetane (AMPPD)、あるいは4-Aminophenyl Phosphate (pAPP)等が含有されている。
排出流路バルブＯ４及び導入流路バルブＩ６を閉めて、第二循環流路５０を閉鎖し、ポンプバルブＶ６，Ｖ７，Ｖ８を作動させて、基質溶液を第二循環流路５０内で循環させ、担体粒子−抗原−酵素複合体の酵素と反応させる。検出は、循環させながらおこなってもよい。
上記操作により、検体に含まれる検出対象の抗原を化学発光シグナルあるいは電気化学シグナル等として、検出部６０において検出できる。このようにして、検出工程で、担体粒子−試料物質−検出補助物質複合体を検出する。
本実施形態では、第二循環流路に検出部６０が配置された場合を示した。この場合のように、検出部と捕捉部とを組み合わせて用いられずともよく、第二循環流路５０に捕捉部が設けられることは必須ではない。なお、検出部と捕捉部とが第二循環流と５０の同じ位置に配置され、検出部及び捕捉部を組み合わせ、検出部６０は、捕捉部４２に捕捉された物質を検出してもよい。
或いは、アルカリフォスファターゼ（酵素）の基質となるpAPPと不溶化反応により金属として析出する金属イオンを第二循環流路５０内へと導入する。排出流路バルブＯ４及び導入流路バルブＩ６を閉めて、第二循環流路５０を閉鎖し、ポンプバルブＶ６，Ｖ７，Ｖ８を作動させて、基質溶液を第二循環流路５０内で循環させ、担体粒子−抗原−酵素複合体の酵素と反応させて金属を検出部に沈着させる。前記と同様に、空気導入用インレット５０ｃから空気を導入し、基質溶液（廃液）を、排出流路３４を介して第二循環流路５０から排出する。
導入流路バルブＩ７及び排出流路バルブＯ４を開け、バルブＶ６を閉じ、アウトレット７０ａから負圧吸引し、測定液導入用インレット５０ｂから導入流路２７を介して、第二循環流路５０内へと測定液を導入する。測定液は、シグナルを増強させる役割を持つ物質として強電解溶液等が含有されている。
排出流路バルブＯ４及び導入流路バルブＩ７を閉めて、第二循環流路５０を閉鎖し、ポンプバルブＶ６，Ｖ７，Ｖ８を作動させて、測定液を第二循環流路５０内で循環させ、沈着した金属量を電気的に分析する。
本実施形態の検出方法は、生体試料の分析や、体外診断等に適用することも可能である。
【００６３】
本実施形態の混合方法、捕捉方法、及び検出方法における、バルブの開閉の手順を表１に示す。
【００６４】
【表１】
2020112561.tif 000003
【００６５】
本実施形態の混合方法によれば、循環流路バルブＶ１，Ｖ２，Ｖ３の開閉によって、第一循環流路１０の区画化と連通を制御することで、第一試薬、検体、及び第二試薬の定量及びそれらの混合が可能である。
【００６６】
本実施形態の捕捉方法によれば、捕捉部４０を備える第一循環流路１０内において担体粒子を含む液を混合することで、捕捉部４０と担体粒子との接触機会が促進され、効率よく担体粒子を捕捉できる。
また、捕捉部４２を備える第二循環流路５０内において担体粒子を含む液を混合することで、捕捉部４２と担体粒子との接触機会が促進され、効率よく担体粒子を捕捉できる。
【００６７】
本実施形態の検出方法によれば、前処理から検出までを一つのデバイスで連続的に行うことができる一方で、検出の前処理としての第一試薬、検体、及び第二試薬の混合及び担体粒子−抗原−酵素複合体の形成と、抗原の検出とを別の循環流路で行うことにより、試料物質検出のための前処理の混合用の条件と検出用の条件とを各々の循環流路で独立に選択可能である。これにより、液の混合と、試料物質の検出が効率化される。また、循環流路１０内の壁面に付着するなどした抗体Ｂが、第二循環流路５０で循環されることが防止され、担体粒子−抗原−酵素複合体を形成しなかった抗体Ｂに起因する、検出時におけるノイズ発生の低減が可能である。
【００６８】
［システム］
本発明の一実施態様におけるシステムは、循環型混合器におけるバルブの開閉を制御する制御部を備える。本発明の一実施形態におけるシステムは、流体デバイスと、前記流体デバイスのバルブの開閉を制御する制御部と、を備える。バルブの開閉の手順については、循環型混合器１ａを用いた混合方法、並びに循環型混合器１ｄ用いた混合方法、捕捉方法、及び検出方法に示す手順に代表される。
本実施形態のシステムによれば、一例として、循環型混合器における混合方法、捕捉方法、及び検出方法を行うことができる。
【００６９】
以上のように、本発明の実施形態によれば、混合器内で混合される各液の体積を正確に定量可能であり、担体粒子を含む液を循環させて該粒子を捕捉可能な、循環型混合器を提供される。本発明はまた、循環型混合器を備えた流体デバイスを提供する。本発明はまた、循環型混合器におけるバルブの開閉を制御する制御部を備えるシステムを提供する。本発明はまた、循環型混合器を用いた、混合方法、捕捉方法、及び検出方法を提供する。
【実施例】
【００７０】
次に実施例を示して本発明を更に詳細に説明するが、本発明は以下の実施例に限定されるものではない。
【００７１】
＜実施例１＞磁性粒子の捕捉
図１２に示す流体デバイスを作製した。図１２に示す流体デバイスは、循環流路と、捕捉部と、磁石設置部と、導入流路と、循環流路に配置されたポンプバルブとを備える。磁石配置部には磁石を配置可能である。
図１２に示すように、導入流路から循環流路へと磁性粒子分散液を導入し、ポンプバルブを作動させ、循環流路内で磁性粒子分散液を循環させた（磁石配置前）。分散液の循環を継続させながら、同時に磁石設置部へ磁石を設置し、磁性粒子捕捉可能状態とした。磁石設置から１秒後、５秒後、１０秒後、３０秒後、１２０秒後の流体デバイスの様子を図１２に示す。
また、この際の磁性粒子の捕捉状態を定量した。図１３に示す写真中、捕捉部を含む囲み線内のエリアの画像を取得し、画像処理装置によりエリア内の８bit-gray valueのヒストグラムを取得し、閾値１３０以上の画素数［ピクセル］の数を求めた。結果を図１３に示す。磁石配置後の送液時間の経過に伴う画素数の値の上昇が確認され、磁性粒子分散液の循環により、捕捉部における磁性粒子の捕捉量が徐々に増加していくことが示された。
このことから、磁性粒子分散液を循環させることで、磁性粒子の捕捉効率を向上可能であることが明らかとなった。
【００７２】
＜実施例２＞磁性粒子の再分散
図１４に示すように、実施例１において磁性粒子を捕捉した状態の流体デバイスの循環流路から液を排出した。次いで、捕捉部の磁石設置部から磁石を外し、磁石を循環流路から遠ざけた解放状態とさせた（送液開始前）。その後、循環流路に磁性粒子を含まない液を循環流路へと送液した。送液開始から１０秒後、２０秒後、３０秒後、６０秒後、９０秒後の流体デバイスの様子を図１４に示す。
また、この際の磁性粒子の再分散状態を定量した。図１５に示す写真中、捕捉部下流の流路を含む囲み線内のエリアの画像を取得し、画像処理装置によりエリア内の各画素間の輝度のばらつき（分散）を算出した。結果を図１５に示す。送液時間の経過に伴うエリア内の分散の値の上昇とその後の低下が確認され、磁性粒子分散液の循環により、捕捉部に捕捉されていた磁性粒子が徐々に液中に分散していくことが示された。このことから、循環流路内で液を循環させることで、磁性粒子の再分散効率を向上可能であることが明らかとなった。
【００７３】
＜実施例３＞磁性粒子の移送
図１６に示す流体デバイスを作製した。図１６に示す流体デバイスは、第一循環流路と、捕捉部と、磁石設置部と、導入流路と、循環流路に配置されたポンプバルブとを備えるとともに、第二循環流路と、捕捉部と、磁石設置部と、循環流路に配置されたポンプバルブとを備える。磁石配置部には磁石を配置可能である。循環流路と第二循環流路は、接続流路により接続されている。
図１６に示すように、循環流路内の磁性粒子分散液を、接続流路を介して第二循環流路へと導入した（移送中・移送後）。図１６中、移送後の下段の写真は、第二循環流路に設けられた捕捉部において磁性粒子を捕捉した様子を示す写真である。このことから、第一循環流路から第二循環流路へと磁性粒子分散液の移送が可能であることが示された。第一循環流路から第二循環流路に磁性粒子を導入可能であることから、図１６に示す流体デバイスを、例えば、化学発光検出や一般的な電気化学検出に適用可能である。また、第二循環流路にて磁性粒子を捕捉可能であることから、図１６に示す流体デバイスを、例えば、磁性粒子上の蛍光検出や、金属イオンなどの可溶性物質を不溶性物質に変換する不溶化反応（例えば銀の沈着）を伴う電気化学検出などの、試料物質の分析方法に適用可能である。
【００７４】
各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【符号の説明】
【００７５】
１ａ，１ｂ，１ｃ，１ｄ…循環型混合器、２…第一循環部、３…第二循環部、１０…循環流路、１０ａ…第一試薬導入用インレット、１０ｂ…検体導入用インレット、１０ｃ…第二試薬導入用インレット、１０ｄ…洗浄液導入用インレット、１０ｅ…移送液導入用インレット、１０ｆ…空気導入用インレット、１０ｉ…循環流路内側領域、１０ｘ，１０ｙ，１０ｚ，…流路、１１ａ，１１ｂ，１１ｃ，１１ｄ，１１ｅ…リザーバー、２１，２２…導入流路、２３，２４，２５，２６，２７…導入流路、３１，３２，３３，３４…排出流路、４０，４２…捕捉部、４１，４３…磁石設置部、５０…第二循環流路、５０ａ…基質溶液導入用インレット、５０ｂ…測定液導入用インレット、５０ｃ…空気導入用インレット、５１ａ，５１ｂ…リザーバー、…リザーバー、６０…検出部、７０…廃液槽、７０ａ…アウトレット、８１，８２…導入流路、９１…第一の液、９２…第二の液、９３…第三の液、１００…接続流路、２００，２１０…流体デバイス、２０１…基板、Ｖ１…第一循環流路バルブ、Ｖ２…第二循環流路バルブ、Ｖ３…第三循環流路バルブ、Ｖ３，Ｖ４，Ｖ５，Ｖ６，Ｖ７，Ｖ８…ポンプバルブ、Ｖ９…接続流路バルブ、Ｉ１，Ｉ２，Ｉ３，Ｉ４，Ｉ５，Ｉ６，Ｉ７…導入流路バルブ、Ｏ１，Ｏ２，Ｏ３，Ｏ４…排出流路バルブ、Ａ１，Ａ２…導入流路バルブ
【図１】
2020112561.tif 000004
【図２】
2020112561.tif 000005
【図３】
2020112561.tif 000006
【図４Ａ】
2020112561.tif 000007
【図４Ｂ】
2020112561.tif 000008
【図４Ｃ】
2020112561.tif 000009
【図４Ｄ】
2020112561.tif 000010
【図４Ｅ】
2020112561.tif 000011
【図４Ｆ】
2020112561.tif 000012
【図４Ｇ】
2020112561.tif 000013
【図４Ｈ】
2020112561.tif 000014
【図５】
2020112561.tif 000015
【図６】
2020112561.tif 000016
【図７】
2020112561.tif 000017
【図８】
2020112561.tif 000018
【図９】
2020112561.tif 000019
【図１０】
2020112561.tif 000020
【図１１】
2020112561.tif 000021
【図１２】
2020112561.tif 000022
【図１３】
2020112561.tif 000023
【図１４】
2020112561.tif 000024
【図１５】
2020112561.tif 000025
【図１６】
2020112561.tif 000026